(57)【要約】【課題】金属電極を使用して発光輝度を良好にしながら、安定した放電が可能であるように改善したプラズマディスプレイパネルを提供する。【解決手段】本発明のＰＤＰは表示電極を改善して発光輝度及び発光効率を改善させたもので、放電セルで互いに対向して放電ギャップをなす維持電極と走査電極は、アドレス電極と交差する方向に長く伸びて、放電ギャップをなすライン部と、前記放電ギャップから遠くなる方向に伸び、隣接する一対の放電セルに部分的に位置する延長部を含んで構成される。【選択図】図３
2007042645.tif 000002
【特許請求の範囲】
【請求項１】
互いに対向配置される前面基板及び背面基板と;
前記前面基板と背面基板の間に位置して多数の放電セルを区画する隔壁と;
前記放電セルに対応しながら、第１方向に伸びて形成されるアドレス電極と;
前記放電セル内に形成される蛍光体層と;
前記第１方向と交差する第２方向に伸びて形成され、前記放電セルで互いに対向して放電ギャップをなす第１電極と第２電極を含み、
前記第１電極と第２電極は、
前記第２方向に長く伸びて、前記放電ギャップをなすライン部と；
前記ライン部から突出形成され、前記放電ギャップから遠くなる方向に伸び、前記第２方向に隣接する一対の放電セルに対応する延長部と、を含むプラズマディスプレイパネル。
【請求項２】
前記ライン部は、前記第２方向へ前記放電セルの中心を通る中心線に隣接して位置する、請求項１に記載のプラズマディスプレイパネル。
【請求項３】
前記延長部は、
前記ライン部から所定の距離で離れて配置される第１電極部と、
前記ライン部と前記第１電極部を連結する一対の第２電極部とを含む、請求項１に記載のプラズマディスプレイパネル。
【請求項４】
前記第１電極部は、前記第２方向に隣接する一対の放電セルにわたって位置する、請求項３に記載のプラズマディスプレイパネル。
【請求項５】
前記第２電極部は、前記第１方向へ前記放電セルの中心を通る中心線に隣接して位置する、請求項３に記載のプラズマディスプレイパネル。
【請求項６】
前記延長部は前記第２方向に沿って複数形成され、
前記第２方向に沿って隣接した一対の延長部の中で、一側延長部の第２電極部と他側延長部の第２電極部が前記放電セルに共に対応するように配列される、請求項３に記載のプラズマディスプレイパネル。
【請求項７】
前記ライン部には前記放電セルの中心に向かって凹んだ凹部が形成され、
前記第１電極のライン部に形成された凹部と前記第２電極のライン部に形成された凹部との間の間隔が、前記第１電極のライン部と前記第２電極のライン部との間の間隔よりさらに長く形成される、請求項３に記載のプラズマディスプレイパネル。
【請求項８】
前記第２電極部は前記凹部に連結される、請求項７に記載のプラズマディスプレイパネル。
【請求項９】
前記凹部は、前記第１方向へ前記放電セルを通る中心線上に位置する、請求項７に記載のプラズマディスプレイパネル。
【請求項１０】
前記第１電極と第２電極は金属物質からなる、請求項１に記載のプラズマディスプレイパネル。
【請求項１１】
互いに対向配置される前面基板及び背面基板と;
前記前面基板と背面基板との間に位置して、多数の放電セルを区画する隔壁と;
前記放電セルに対応しながら、第１方向に伸びて形成されるアドレス電極と;
前記放電セル内に形成される蛍光体層と;
前記第１方向と交差する第２方向に伸びて形成され、前記放電セルで互いに対向して放電ギャップをなす第１電極と第２電極を含み、
前記第１電極と第２電極は、
前記第２方向に長く伸びるライン部と；
前記ライン部から前記放電セルの中心に向かって突出し、前記放電ギャップを形成し、前記第２方向に隣接する一対の放電セルに対応する延長部とを含むプラズマディスプレイパネル。
【請求項１２】
前記延長部は、
前記ライン部から所定の距離で離れて配置される第１電極部と；
前記ライン部から前記第１電極部に向かって伸びる一対の第２電極部と；
前記第１電極部と前記第２電極部を斜線方向に連結する第３電極部とを含む、請求項１１に記載のプラズマディスプレイパネル。
【請求項１３】
前記第１電極部は、前記第２方向に隣接する一対の放電セルにわたって位置する、請求項１２に記載のプラズマディスプレイパネル。
【請求項１４】
前記第２電極部は、前記第１方向へ前記放電セルの中心を通る中心線に隣接して位置する、請求項１２に記載のプラズマディスプレイパネル。
【請求項１５】
前記延長部は、前記第２方向に沿って複数形成され、
前記第２方向に沿って隣接する一対の延長部の中で、一側延長部の第２電極部と他側延長部の第２電極部が前記放電セルに共に対応するように配列される、請求項１２に記載のプラズマディスプレイパネル。
【請求項１６】
前記第１電極の第３電極部と前記第２電極の第３電極部との間の間隔は、前記第１電極の第１電極部と前記第２電極の第１電極部との間の間隔よりさらに長く形成される、請求項１２に記載のプラズマディスプレイパネル。
【請求項１７】
前記第１電極と第２電極は金属物質からなる、請求項１１に記載のプラズマディスプレイパネル。
【発明の詳細な説明】
【技術分野】
【０００１】
本発明はプラズマディスプレイパネルに関し、より詳しくは、電極の構造を改善して発光効率を向上させたプラズマディスプレイパネルに関するものである。
【背景技術】
【０００２】
一般にプラズマディスプレイパネル（以下、‘ＰＤＰ'と言う）はガス放電によって得られたプラズマから放射される紫外線が蛍光体を励起させることによって発生する可視光を利用して映像を実現するディスプレイ素子である。このようなＰＤＰは、６０インチ以上の超大型画面を僅か１０ｃｍ以内の厚さに実現することができ、ＣＲＴのような自発光ディスプレイ素子であるので、色再現力が優れていて視野角による歪曲現象が少ないという特性を持っている。また、液晶ディスプレイなどに比べて製造工法が単純で、生産性及び原価側面でも強点を持つので、次世代産業用平板ディスプレイ及び家庭用テレビディスプレイとして注目されている。
【０００３】
ＰＤＰの構造は１９７０年代から長期間にわたって発展してきたが、現在一般に知られている構造は３電極沿面放電型構造である。３電極沿面放電型構造は、同一面上に位置した表示電極を含む一つの基板と、これから一定の距離をおいて離隔されて垂直方向に繋がるアドレス電極を含む他の一つの基板で構成され、その間に放電ガスが封入された構造である。一般に放電の有無は各ラインに連結されて独立的に制御される走査電極と対向しているアドレス電極の放電によって決められ、発光輝度を表す維持放電は、同一面相に位置した維持電極及び走査電極によって行われる。
【０００４】
この時、ＰＤＰから出る光を遮断しないために、各放電セルに沿って形成される電極は光が透過する透明電極で形成される。しかし、透明電極自体は抵抗が高いため、その導電性を補完するために金属電極が透明電極と共に使用される。この時、金属電極自体は光が透過できなくなる。したがって、放電セルから出る光を遮断しないために、金属電極は透明電極の幅方向端部に沿って形成がされる。
【０００５】
その結果、実質的に放電が行われる放電ギャップの周囲は透明電極で形成されて、放電開始電圧が高くなる。また、透明電極をなす物質（例えば、ＩＴＯ）が高価であるため、ＰＤＰの生産単価を高めて値段競争力を落としている。さらに、維持電極及び走査電極が透明電極と金属電極の二重層で構成されているため、その作業工程が複雑になって、やはり生産単価を高むことができる要因となっている。
【発明の開示】
【発明が解決しようとする課題】
【０００６】
そこで、本発明は上述した問題点を解決するために創案されたもので、その目的は、金属電極を使用して発光輝度を良好にしながら、安定した放電が可能であるように改善したプラズマディスプレイパネルを提供することにある。
【課題を解決するための手段】
【０００７】
このような目的を達成するために本発明の一実施例によるプラズマディスプレイパネルは、互いに対向配置される前面基板及び背面基板と、前記前面基板と背面基板の間に位置して、多数の放電セルを区画する隔壁と、前記放電セルに対応しながら、第１方向に伸びて形成されるアドレス電極と、前記放電セル内に形成される蛍光体層と、前記第１方向と交差する第２方向に伸びて形成され、前記放電セルで互いに対向して放電ギャップをなす第１電極と第２電極とを含み、前記第１電極と第２電極は、前記第２方向に長く伸びて、前記放電ギャップをなすライン部と、前記ライン部から突出形成され、前記放電ギャップから遠くなる方向に伸びながら、前記第２方向に隣接する一対の放電セルに対応する延長部とを含む。
【０００８】
この時、前記ライン部は、前記第２方向へ前記放電セルの中心を通る中心線に隣接して位置することができる。
【０００９】
前記延長部は、前記ライン部から所定の距離で離れて配置される第１電極部と、前記ライン部と前記第１電極部を連結する一対の第２電極部を含むことができる。
【００１０】
この時、前記第１電極部は、前記第２方向に隣接する一対の放電セルにわたって位置することができる。
【００１１】
前記第２電極部は、前記第１方向へ前記放電セルの中心を通る中心線に隣接して位置することができる。
【００１２】
また、前記延長部は、前記第２方向に沿って複数形成され、前記第２方向に沿って隣接した一対の延長部の中で、一側延長部の第２電極部と他側延長部の第２電極部が前記放電セルに共に対応するように配列されてもよい。
【００１３】
また、前記ライン部には、前記放電セルの中心に向かって凹んだ凹部が形成されてもよい。この場合、前記第１電極のライン部に形成された凹部と前記第２電極のライン部に形成された凹部との間の間隔が、前記第１電極のライン部と前記第２電極のライン部との間の間隔よりさらに長く形成されてもよい。
【００１４】
前記第２電極部は前記凹部に連結されてもよい。
【００１５】
前記凹部は、前記第１方向へ前記放電セルを通る中心線上に位置することができる。
【００１６】
なお、前記第１電極と第２電極は金属物質からなることができる。
【００１７】
本発明の他の実施例によるプラズマディスプレイパネルは、互いに対向する前面基板及び背面基板と、前記前面基板と背面基板の間に位置して、多数の放電セルを区画する隔壁と、前記放電セルに対応するように形成されるアドレス電極と、前記放電セル内に形成される蛍光体層と、前記放電セルで互いに対向して放電ギャップをなす第１電極と第２電極を含み、前記第１電極と第２電極は、前記第２方向に長く伸びるライン部と、前記ライン部から前記放電セルの中心に向かって突出して、前記放電ギャップを形成しながら、前記第２方向に隣接する一対の放電セルに対応する延長部とを含むことができる。
【００１８】
前記延長部は、前記ライン部から所定の距離で離れて配置される第１電極部と、前記ライン部から前記第１電極部に向かって伸びる一対の第２電極部と、前記第１電極部と前記第２電極部を斜線方向に連結する第３電極部を含むことができる。
【００１９】
前記第１電極の第３電極部と前記第２電極の第３電極部との間の間隔は、前記第１電極の第１電極部と前記第２電極の第１電極部との間の間隔よりさらに長く形成されてもよい。
【発明の効果】
【００２０】
本発明の一実施例によれば、表示電極がライン形状に形成されるので、開口率が向上することができる。
【００２１】
また、放電ギャップがロングギャップとショッケプの二重構造で形成するために、放電が放電セルの中心に集中せず、放電セル全体に拡散できる。
【００２２】
さらに、アドレス電極が伸びる方向と平行な複数の第２電極部が放電セルに形成されることによって、放電が放電セル全体にさらに容易に拡散できる。
また、電極部の模様が単純であるので、ダイレクトイメージング法を利用して表示電極を容易に製造することができる。
【発明を実施するための最良の形態】
【００２３】
以下、添付した図面を参照して、本発明の好ましい実施例について当業者が容易に実施できるように詳しく説明する。しかし、本発明は多様で相異なる形態で実現することができ、ここで説明する実施例に制限されるわけではない。
【００２４】
図１は、本発明の第１実施例によるプラズマディスプレイパネル（以下、‘ＰＤＰ'と言う）の部分分解斜視図である。
【００２５】
図１に示されているように、本実施例によるＰＤＰは、所定の間隔をおいて互いに対向配置される背面基板１０及び前面基板２０を含む。そして、背面基板１０と前面基板２０との間には隔壁１６によって区画される色相別放電セル１８;１８Ｒ、１８Ｇ、１８Ｂが備えられる。また、放電セル１８内には真空紫外線によって励起され可視光を放出する蛍光体層１９が形成される。この蛍光体層１９は隔壁の壁面と、その底面に沿って形成され、プラズマ放電を起こせるように放電セル１８内に放電ガス（例えば、ゼノン（Ｘｅ）、ネオン（Ｎｅ）等を含む混合ガス）が充填される。
【００２６】
前面基板２０に対向する背面基板１０上には、アドレス電極１２が第１方向（図面のｙ軸方向）に延長形成される。これらアドレス電極１２は互いに離隔されて、各放電セルに対応する形態で配列され、誘電体層１４によって覆われて埋立される構造からなる。そして、この誘電体層１４上には隔壁１６が所定のパターンで形成されている。
【００２７】
隔壁１６は放電が行われる放電空間である放電セル１８を区画して、互いに隣接した放電セル１８の間のクロストークを防止する。この隔壁１６は縦隔壁１６ａ及び横隔壁１６ｂを含む。縦隔壁１６ａは第１方向（図面のｙ軸方向）に沿って伸びていて、アドレス電極１２を間において互いに離隔配置される。横隔壁１６ｂは、前記縦隔壁１６ａと同一平面上で前記縦隔壁１６ａと交差する第２方向（図面のｘ軸方向）に伸びて形成される。そして、縦隔壁１６ａと横隔壁１６ｂによって閉鎖型構造の放電セル１８が形成される。
【００２８】
本実施例において、このような隔壁構造は好ましい一形態として説明するものであるので、アドレス電極１２と平行な方向に形成される帯状隔壁構造のように多様な形状の隔壁構造も可能であるのは当然である。
【００２９】
なお、放電セル１８の内部には蛍光体層１９が形成される。この蛍光体層１９は放電時に発生した紫外線によって励起されて、可視光が発散される。この蛍光体層１９は、図示されているように、隔壁１６の側面と隔壁１６によって限定された底面にわたって形成される。この蛍光体層１９は色表現のために赤色、緑色、青色の蛍光体の中でいずれか一つの蛍光体として選択され形成されることができ、そのために赤、緑、青色放電セル１８Ｒ、１８Ｇ、１８Ｂに区分することができる。前記のように蛍光体層１９が配置された放電セル１８の内部にはネオン（Ｎｅ）、ゼノン（Ｘｅ）等が混合された放電ガスが充填される。
【００３０】
前面基板２０は可視光線が透過して画像が表示されるように、ガラスのような透明な材料で形成される。この前面基板２０の背面基板１０対向面には、第１方向と交差する第２方向（図面のｘ軸方向）に沿って表示電極２５が各放電セル１８に対応しながら配置される。これら表示電極１５は、その機能的な作用上、第１電極２１（以下、‘走査電極’と言う）及び第２電極２３（以下、‘維持電極’と言う）を含む。
【００３１】
走査電極２１はアドレス電極１２と作用して点灯される放電セルを選択し、維持電極２３は走査電極２１と作用して選択された放電セルに対して維持放電を起こす。この走査電極２１と維持電極２３は放電セル１８で互いに対向して放電ギャップを形成する。
【００３２】
このように、走査電極２１及び維持電極２３で構成される表示電極２５は、第２方向（図面のｘ軸方向）に長く延長形成されるライン部と、このライン部で突出形成される延長部を含み、電気伝導性の良い金属（例えば、クロム、銅、銀など）で形成される。この表示電極２５についての詳細な説明は後述する。
【００３３】
この表示電極２５はＰｂＯ、Ｂ２Ｏ３、ＳｉＯ２等のような誘電体で形成された誘電体層２８によって覆われて埋立される 。この誘電体層２８は、放電時に荷電粒子が表示電極２５に直接衝突してこの表示電極２５を損傷させることを防止し、荷電粒子を誘導する役割を果たす。
【００３４】
なお、この誘電体層２８上には酸化マグネシウム（ＭｇＯ）等で形成された保護膜２９が形成される。前記保護膜２９は放電時に荷電粒子が誘電体層２８に直接衝突して誘電体層２８を損傷することを防止する。また、保護膜２９は荷電粒子の衝突時に２次電子を放出させて、放電効率を高める役割を果たすこともできる。
【００３５】
図２は本発明の第１実施例による表示電極を示す部分斜視図である。
【００３６】
図２に示されているように、走査電極２１及び維持電極２３のそれぞれは、第２方向（図面のｘ軸方向）に長く伸びるライン部２１１、２３１と、このライン部２１１、２３１から第１方向（図面のｙ軸方向）に突出形成される延長部２１３、２３３を含む。また、走査電極２１のライン部２１１と維持電極２３のライン部２３３との間に放電ギャップが形成され、延長部２１３、２３３は放電ギャップから遠くなる方向（図面のｙ軸方向）に延長形成される。
【００３７】
具体的に、ライン部２１１、２３１はストリップのライン形状をなし、第２方向（図面のｘ軸方向）に長く延長される。
【００３８】
そして、延長部２１３、２３３はライン形状の第１電極部２１３ａ、２３３ａ及び一対の第２電極部２１３ｂ、２３３ｂを含む。
【００３９】
第１電極部２１３ａ、２３３ａはライン部２１１、２３１と所定の距離をおいて離隔配置され、ライン部２１１、２３１と平行に形成される。一対の第２電極部２１３ｂ、２３３ｂは、この第１電極部２１３ａ、２３３ａとライン部２１１、２３１をそれぞれ連結する。このように、延長部２１３、２３３が第１電極部２１３ａ、２３３ａ及び一対の第２電極部２１３ｂ、２３３ｂを含むために、延長部２１３、２３３は実質的にループ（ｌｏｏｐ）形状に形成される。
【００４０】
一方、第２電極部２１３ｂ、２３３ｂはライン部２１１、２３１から第１電極部２１３ａ、２３３ａに向かって垂直方向（図面のｙ軸方向）に延長される。また、この第２電極部２１３ｂ、２３３ｂは第１電極部２１３ａ、２３３ａと垂直に連結される。したがって、延長部２１３、２３３はライン部２１１、２３１と四角形状のループをなす。
【００４１】
一方、ライン部２１１、２３１には凹部Ｃａ、Ｃｓが形成される。つまり、ライン部２１１、２３１と第２電極部２１３ｂ、２３３ｂが交差する地点に凹部Ｃａ、Ｃｓが形成される。そして、凹部Ｃａ、Ｃｓは走査電極２１のライン部２１１と維持電極２３のライン部２３１ｔｏの間に形成された放電ギャップに対して凹んでいるように形成される。このように、凹部Ｃａ、Ｃｓが形成されることによって、走査電極２１のライン部２１１と維持電極２３のライン部２３１との間に２個の放電ギャップ、つまり、ショット放電ギャップとロング放電ギャップが形成されることができる。したがって、維持放電時に低い放電開始電圧が印加されても、ショット放電ギャップで放電が開始されることができ、この放電はロング放電ギャップに移動しながら、放電セル全体に拡散できる。
【００４２】
図３は本発明の第１実施例による表示電極と放電セルの配置関係を説明する概略的な平面図である。
【００４３】
図３に示されているように、放電セル１８は塗布される蛍光体層の色相によって赤色放電セル１８Ｒ、緑色放電セル１８Ｇ、青色放電セル１８Ｂに分類される。図面では同一色の放電セルが第１方向（図面のｙ軸方向）に沿って配列され、赤色１８Ｒ、緑色１８Ｇ、青色放電セル１８Ｂが第２方向（図面のｘ軸方向）に沿って配列される。
【００４４】
なお、表示電極２５、つまり、走査電極２１及び維持電極２３は第２方向（図面のｘ軸方向）に延長形成しながら、各放電セル１８に対応する。
【００４５】
また、第１方向（図面のｙ軸方向）へ放電セル１８の中心を通る中心線をＬｖ、第２方向へ各放電セル１８の中心を通る中心線をＬｈとする時、走査電極２１は中心線Ｌｈの上側に配置され、維持電極２３は中心線Ｌｈの下側に配置される。具体的に、走査電極２１のライン部２１１及び維持電極２３のライン部２３１は中心線Ｌｈに隣接して位置する。そして、走査電極２１と維持電極２３は中心線Ｌｈを間に置いて、互いに対称して形成される。
【００４６】
一方、走査電極２１の延長部２１３及び維持電極２３の延長部２３３は第２方向（図面のｘ軸方向）に隣接する一対の放電セルに対応するように形成される。つまり、走査電極２１の第１電極部２１３ａ及び維持電極２３の第１電極部２３３ａは第２方向に隣接する一対の放電セルにわたって位置する。
【００４７】
また、延長部２１３、２３３は第２方向（図面のｘ軸方向）に沿って複数形成され、第２方向に沿って隣接する一対の延長部２１３、２３３の中で、一側延長部２１３、２３３の第２電極部２１３ｂ、２３３ｂと他側延長部２１３、２３３の第２電極部２１３ｂ、２３３ｂが一つの放電セル１８に共に対応するように配列される。この時、一つの放電セル１８に共に対応する第２電極部２１３ｂ、２３３ｂは中心線Ｌｖに隣接して位置し、Ｌｖを間において互いに対向配置される。
【００４８】
なお、ライン部２１１、２３３に形成された凹部Ｃａ、Ｃｓは中心線Ｌｖ上に位置する。つまり、走査電極２１の凹部Ｃａと維持電極２３の凹部Ｃｓが放電セル１８の中心から互いに対向するように配置される。したがって、走査電極２１の凹部Ｃａと維持電極２３の凹部Ｃｓとの間の間隔Ｌｇは，走査電極２１のライン部２１１と維持電極２３のライン部２３１ｔｏの間の間隔Ｌｓよりさらに長く形成される。
【００４９】
表示電極２５が前記構造ｄｅ放電セル１８に配置されるので、開口率及び発光輝度が従来より大幅改善される。
【００５０】
また、ショット放電ギャップで開始された放電はロング放電ギャップに移動し、このロング放電ギャップから延長部に沿って放電が放電セル全体に拡散されるので、放電効率が向上することができる。
【００５１】
また、複数の第２電極部が一つの放電セル１８に共に対応するように配列されるために、放電が放電セル全体にさらに容易に拡散することができ、その結果、放電効率がさらに向上することができる。
【００５２】
また、第１電極部及び第２電極部の形状が単純であるために、ダイレクトイメージング法などを利用して、表示電極が容易に製造できる長所がある。
【００５３】
図４は本発明の第２実施例による表示電極を示す部分斜視図である。
【００５４】
図４に示されているように、走査電極４１及び維持電極４３のそれぞれは、第２方向（図面のｘ軸方向）に長く伸びるライン部４１１、４３１と、このライン部４１１、４３１から第１方向（図面のｙ軸方向）に突出形成される延長部４１３、４３３を含む。つまり、走査電極４１１の延長部４１３は対向する維持電極４３に向かって突出形成され、維持電極４３の延長部４３３は対向する走査電極４１１に向かって突出形成される。
【００５５】
具体的に、ライン部４１１、４３１はストリップのライン形状になし、第２方向（図面のｘ軸方向）に長く延長される。そして、延長部４１３はライン形状の第１電極部４１３ａ、４３３ａ、一対の第２電極部４１３ｂ、４３３ｂ及び一対の第３電極部４１３ｃ、４３３ｃ）を含む。
【００５６】
第１電極部４１３ａ、４３３ａはライン部４１１、４３１と所定の距離を置いて離隔配置され、ライン部４１１、４３１と平行に形成される。一対の第２電極部４１３ｂ、４３３ｂはライン部４１１、４３１から第１電極部４１３ａ、４３３ａに向かって延長形成される。一対の第３電極部４１３ｃ、４３３ｃは第１電極部４１３ａ、４３３ａと第２電極部４１３ｂ、４３３ｂを斜線方向に連結する。つまり、第２電極部４１３ｂ、４３３ｂの端部と第１電極部４１３ａ、４３３ｂの端部を斜線方向に連結する。このように、延長部が第１電極部４１３ａ、４３３ａ、一対の第２電極部４１３ｂ、４３３ｂ及び一対の第３電極部４１３ｃ、４３３ｃを含むので、延長部４１３、４３３は実質的にループ（ｌｏｏｐ）形状に形成される。
【００５７】
図５は本発明の第２実施例による表示電極と放電セルの配置関係を説明する概略的な平面図である。
【００５８】
図５に示されているように、本実施例による走査電極４１のライン部４１１及び維持電極４３のライン部４３１は横隔壁１６ａに隣接するように配置される。そして、走査電極４１の第１電極部４１３ａ及び維持電極４３の第１電極部４３３ａは、第２方向（図面のｘ軸方向）に隣接する一対の放電セル１８にわたって位置する。一方、第１実施例と異なって、本実施例では走査電極４１の第１電極部４１３ａと維持電極４３の第１電極部４３３ａとの間にショット放電ギャップが形成される。
【００５９】
一方、第２方向（図面のｘ軸方向）に沿って隣接する一対の延長部４１３、４３３のうち、一側延長部４１３、４３３の第２電極部４１３ｂ、４３３ｂと他側延長部４１３、４３３の第２電極部４１３ｂ、４３３が一つの放電セル１８に共に対応するように配列される。そして、放電セル１８に共に対応する第２電極部４１３ｂ、４３３ｂは中心線Ｌｖを間に置いて互いに対向配置され、ライン部４１１、４３１で互いに連結される。
【００６０】
また、一側延長部４１３、４３３の第３電極部４１３ｃ、４３３ｃと他側延長部４１３、４３３の第３電極部４１３ｃ、４３３ｃもまた、一つの放電セルに共に対応し、放電セルの中心Ｏに隣接するように配置される。一つの放電セル１８に対応する第３電極部４１３ｃ、４３３ｃは中心線Ｌｖに対して対称されるように形成され、走査電極４１の第３電極部４１３ｃと維持電極４３の第３電極部４３３ｃは中心線Ｌｈに対して対称されるように形成される。つまり、第３電極部４１３ｃ、４３３ｃは放電セル１８の中心Ｏに対して対称されるように形成される。
【００６１】
このような電極構造によって、走査電極４１の第３電極部４１３ｃと維持電極４３の第３電極部４３３ｃとの間の間隔Ｌｇは、走査電極４１の第１電極部４１３ａと維持電極４３の第１電極部４３３ａとの間の間隔Ｌｓよりさらに長く形成されることができる。このように、２個の放電ギャップＧ、つまり、ショット放電ギャップとロング放電ギャップが形成されることによって、放電が放電セル全体に容易に拡散できる。
【００６２】
以上、本発明は制限された実施例と図面によって説明されたが、本発明はこれによって限定されず、本発明が属する技術分野における通常の知識を有する者によって、本発明の技術思想と特許請求の範囲の均等範囲内で多様な修正及び変形が可能であることは当然である。
【図面の簡単な説明】
【００６３】
【図１】本発明の第１実施例によるプラズマディスプレイパネルの部分分解斜視図である。
【図２】本発明の第１実施例による表示電極を示す部分斜視図である。
【図３】本発明の第１実施例による表示電極と放電セルの配置関係を説明する概略的な平面図である。
【図４】本発明の第２実施例による表示電極を示す部分斜視図である。
【図５】本発明の第２実施例による表示電極と放電セルの配置関係を説明する概略的な平面図である。
【符号の説明】
【００６４】
１０  背面基板
１２  アドレス電極
１４、２８  誘電体層
１６  隔壁
１６ａ  縦隔壁
１６ｂ  横隔壁
１８  放電セル
１９  蛍光体層
２０  前面基板
２１、４１  走査電極
２３、４３  維持電極
２３  第２電極
２５  表示電極
２９  保護膜
２１１、２３１、４１１、４３１  ライン部
２１３  ２３３、４１３、４３３  延長部
２１３ａ、２３３ａ、４１３ａ、４３３ａ  第１電極部
２１３ｂ、２３３ｂ、４１３ｂ、４３３ｂ  第２電極部
４１３ｃ、４３３ｃ  第３電極部
Ｃａ、Ｃｓ  凹部
Ｇ  放電ギャップ
【図１】
2007042645.tif 000003
【図２】
2007042645.tif 000004
【図３】
2007042645.tif 000005
【図４】
2007042645.tif 000006
【図５】
2007042645.tif 000007